(57)【要約】本発明は、排気還流部（１２）が排気還流管（１６）を介して吸気翼（２）に連結されていて、この場合、排気還流率が、この排気還流管内に配置された排気還流弁（１８）を使用して例えばエンジンの温度，負荷又はエンジンの回転数のようなエンジンの入力値を考慮している目標特性図によって算定される、この排気還流部を有する内燃機関を駆動させる方法に関する。運転者の運転の仕方又は運転者の交通状況に応じたハンドル操作にしたがって車両の制御に関連して算出可能な走行動特性−係数 Ｆｄ（ｔ）が考慮されて、適切な排気還流率（ＡＧＲａｄａｐｔ ）を算定することが提唱される。
2004511714.tif 000002
【特許請求の範囲】
【請求項１】
排気還流部が排気還流管を介して吸気翼に連結されていて、この場合、排気還流率が、この排気還流管内に配置された排気還流弁を使用して例えばエンジンの温度，負荷又はエンジンの回転数のようなエンジンの入力値を考慮している目標特性図によって算定される、この排気還流部を有する内燃機関を駆動させる方法において、運転者の運転の仕方又は運転者の交通状況に応じたハンドル操作にしたがって車両の制御に関連して算出可能な走行動特性−係数 Ｆｄ（ｔ）が考慮されて、適切な排気還流率（ＡＧＲａｄａｐｔ ）を算定することを特徴とする方法。
【請求項２】
排気還流係数Ｆ＿ＡＧＲが、走行動特性−係数 Ｆｄ（ｔ）から成る制御器（２２）中に格納された特性曲線によって算定され、目標特性図から算出された排気還流率が、この排気還流係数Ｆ＿ＡＧＲで決定されることを特徴とする請求項１に記載の方法。
【請求項３】
走行動特性係数 Ｆｄ（ｔ）が、運転者の運転の仕方又は運転者の交通状況に応じたハンドル操作を長期間にわたって評価する関係式（一定の平均値の生成）によって唯一の駆動特性値又は１台の車両の多数の駆動値から成る唯一の駆動特性値に合成された値の周期的に又は非周期的に検出された実際の値とその前の値から算出されることを特徴とする請求項１に記載の方法。
【発明の詳細な説明】
【０００１】
本発明は、請求項１の上位概念に記載の内燃機関を駆動する方法に関する。
【０００２】
排気ガス特性が改善され得る各種の手段が、従来の技術から公知である。これらの手段のうちの１つが、排気還流である。この排気還流では、排気ガス流の一部が、吸気翼内の燃料・空気の混合物に再供給される。シリンダが、化学量論的な駆動時にも排気還流によって燃料・空気の混合物のより僅かな吸込みを維持する。還流された排気ガスが燃焼に関与しないので、酸素の分圧が下がり、同時に燃焼温度が下がる。これによって、窒素酸化物が、燃焼時に ６０ ％まで減少する。しかしながら他方で、燃えなかった炭化水素の化合物の含有量と燃料の消費量が、排気還流率の増大と共に上昇しうる。この要因は、排気還流率の上限を決定する。それ故に公知のエンジン構造では、排気還流率が、エンジンの温度，負荷及びエンジンの回転数のような駆動値に応じて排気還流弁によって制御される（Ｆａｃｈｋｕｎｄｅ Ｋｒａｆｔｆａｈｒｚｅｕｇｔｅｃｈｎｉｋ， 第 ２６ 版，Ｅｕｒｏｐａ Ｌｅｈｒｍｉｔｔｅｌ， 第 ３１１頁）。
【０００３】
特にガソリン直噴式エンジンでは、特にリーン駆動（λ＞１） 中に上昇するＮＯＸ の放出を可能な限り僅かに抑えるため、大量の還流される排気ガスが必要になる。この要求は、特に大きな排気量を有し、それに応じて大きな吸気容積を任意に処理するエンジンの出力に関して二律背反を招く。何故なら、吸気装置全体が、対応する排気ガスの粒子状物質で満たされているからである。特に、エンジンが排気還流を伴う部分負荷領域から排気還流を伴わない全負荷領域に移行する必要のある変動過程では、吸気装置が排気によって空になり、その結果運転者が望む回転トルクが問題なく使用可能になるまで、より多くの行程を必要とする。この過程は、応答特性を遅延させ、ひいては特にスポーツカーにおいて好ましくないと感じられる動損失を招く。
【０００４】
本発明の課題は、言及した二律背反を制御方法を改良することによって解決すること、その結果他方では、走行動特性におけるより大きな損失を被ることなしに、有害物質の排出を排気還流によって低下させることにある。
【０００５】
この課題は、請求項１の特徴によって解決される。冒頭で述べた二律背反は、適切な排気還流によって解決される。この改良した排気還流では、排気還流率が、運転者の走行動特性に応じて制御される。僅かに変動するときは、最大の目標排気還流量が還流される一方で、大きく変動するときは、排気還流が全く実施されないように、制御器中に格納されたＡＧＲ目標特性図が、走行動係数を使用して所望の動的走行を定量化することによって調節され得る。
【０００６】
この制御方法のその他の好適な構成は、従属請求項中に記載されている。
【０００７】
以下に、本発明の実施の形態を図面に基づいて詳しく説明する。
実施の形態の説明：
空気流量計４及び流れ方向に沿ってこの空気流量計４の後方に配置された絞り弁６が、内燃機関の吸気マニホルド２内に配置されている。この吸気マニホルド２は、シリンダ室８内につながっている。燃焼空気が、この絞り弁の位置及び吸気弁１０に対する制御時間に応じてこのシリンダ室８に供給される。燃焼時に発生する排気ガスが、排気路１２を制御する排気弁１４によってこの排気路１２を通じて外側に排気される。
【０００８】
吸気マニホルド２と排気路１２とは、排気還流管１６を介して互いに連結されている。この排気還流管１６の開口部の横断面を制御する排気還流弁１８が、この排気還流管１６内に配置されている。この排気還流弁１８は、電気空気式変換器２０によって制御される。燃料が、吸気弁１０の近くのマニホルド２に配置された噴射器２１によって噴射される。この燃料は、吸気された燃焼空気と共に燃料・空気混合物として燃焼室内で点火される。制御器２２が、特に空気流量計４，絞り弁６，電気空気式変換器２０及び噴射器２１に接続されている。
【０００９】
以下に、排気還流率の適切な制御を詳しく説明する。以下でＡＧＲ目標特性図と言う排気還流特性図が、制御器２２中に格納されている。このＡＧＲ目標特性図は、以下で詳しく説明する。図２中に示された曲線ａは、エンジンの回転トルク−限界曲線を示す。排気還流率が、この曲線ａの下で連続的に制御される。例示的に示された４本の曲線ｂ〜ｅは、同一の排気還流率の複数の曲線を示す。全負荷領域内では、すなわち回転数に応じて要求される回転トルクが曲線ｂよりも上にあるときは、外部の排気還流が起きない。要求される回転トルク値が曲線ｂとｃとの間にあるときは、排気還流率は、排気ガスの体積流量全体の０％と １０ ％との間で連続的に制御される。曲線ｃとｄとの間にある回転トルク値では、排気還流率が １０ ％と ２５ ％との間にある一方で、曲線ｄとｅとの間にある回転トルク値では、排気還流率が ３０ ％まで上昇する。ガソリン直噴式エンジンの部分負荷駆動（成層燃焼エンジンのリーン駆動）では、最大排気還流率は ４０ ％に達する。この排気還流率は、曲線ｅ内にある回転トルク値に対して得られる。
【００１０】
制御器２２中に格納されたＡＧＲ目標特性図のほかに、走行動特性 Ｆｄ（ｔ）が、適切な排気還流率を求めるために算出される。この走行動特性 Ｆｄ（ｔ）は、運転者の運転の仕方又は運転者の交通状況に応じたハンドル操作に依存する。走行動係数を算出するため、長期間にわたって評価すべき関係式が、唯一の駆動特性値又は１台の車両の多数の駆動値から成る唯一の駆動特性値に合成された値の周期的に又は非周期的に検出された実際の値とその前の値から算出される。この場合、例えば絞り弁の位置α（ｔ） ，走行速度ｖ（ｔ） ，横加速度ａｑ （ｔ） 及び回転数ｎｍｏｔ （ｔ） の値が、秒単位で又はミリ秒単位で検出される。そして、例えば絞り弁の変化速度 ｄα（ｔ）／ｄｔ及び車両の加速度 ｄｖ（ｔ）／ｄｔ のようなさらなる値が算定される。これらの算出されて決定された値は、特性図によって別の駆動値と結合され、１つの関係式によって１つの中間値になる。１つの走行動特性Ｆｄ（ｔ） が、言及した新たに算定された値とその前の値との双方を考慮した一定の平均値生成（ｇｌｅｉｔｅｎｄｅ Ｍｉｔｔｅｌｗｅｒｔｂｉｌｄｕｎｇ） によってこの中間値から算出される。１つの排気還流係数Ｆ＿ＡＧＲが、走行動係数 Ｆｄ に基づいて制御器２２中に格納された特性曲線（図３参照）によって算定される。この走行動特性 Ｆｄ は、この実施の形態では０と１との間の値を採る。この特性曲線の関係式は、例えば経験的に算出されたものである。この排気還流係数Ｆ＿ＡＧＲは、この実施の形態では同様に０と１との間の値を採り得る。適切な排気還流率ＡＧＲａｄａｐｔ を算定するため、ＡＧＲ目標特性図から算出された排気還流率が、排気還流係数Ｆ＿ＡＧＲと乗算される。その結果、排気還流弁１８が、制御器２２によって電気空気式変換器を介してこの算出された適切な排気還流率ＡＧＲａｄａｐｔ に応じて制御される。図３中に破線で示されたように、走行動係数 Ｆｄ と排気還流係数Ｆ＿ＡＧＲとの間の関係式を変更してもよいし、又は適合させてもよい。
【図面の簡単な説明】
【図１】
還流を伴う内燃機関の公知の概略構造を示す。
【図２】
排気還流に対する目標特性図である。
【図３】
排気還流を求めるための特性曲線を示す。
【図４】
適切な排気還流率を求めるための概略的な全体図である。
【符号の説明】
２　吸気マニホルド
４　空気流量計
６　絞り弁
８　シリンダ室
１０　吸気弁
１２　排気路
１４　排気弁
１６　排気還流管
１８　排気還流弁
２０　電気空気式変換器
２１　噴射器
２２　制御器
【図１】
2004511714.tif 000003
【図２】
2004511714.tif 000004
【図３】
2004511714.tif 000005
【図４】
2004511714.tif 000006
【国際公開パンフレット】
2004511714.tif 000007
2004511714.tif 000008
2004511714.tif 000009
2004511714.tif 000010
2004511714.tif 000011
2004511714.tif 000012
2004511714.tif 000013
2004511714.tif 000014
2004511714.tif 000015
2004511714.tif 000016
2004511714.tif 000017
【国際調査報告】
2004511714.tif 000018
2004511714.tif 000019
2004511714.tif 000020
2004511714.tif 000021